(57)【要約】【課題】  床、壁、ガラス面、家電製品、食卓、キッチン周辺などの住居用に広く使用でき、洗浄面に直接又は拭き具にスプレーして拭き取る操作だけで、油性や水性の汚れや、黒ずみ汚れの洗浄力に優れ、洗浄面がいつまでもヌルヌルすることが無く、従来の拭き掃除と比較して掃除の効率化が図られると共に、誤って手肌に付いてもヌル付かない住居用洗浄剤組成物を提供する。【解決手段】  （ａ）温度条件が２５℃において水／溶剤の混合液の誘電率（εｒ）が７０以下であり、（ｂ）アルカリ剤０．００１〜３．０質量％と、（ｃ）界面活性剤０．００１〜５．０質量％と、（ｄ）キレート剤０〜５．０質量％とを含有し、かつ、ｐＨが８．０を超えて１２．０以下の範囲に調整してなることを特徴とする住居用洗浄剤組成物。【選択図】  なし【特許請求の範囲】
【請求項１】
（ａ）温度条件が２５℃において水／溶剤の混合液の誘電率（εｒ）が７０以下であり、（ｂ）アルカリ剤０．００１〜３．０質量％と、（ｃ）界面活性剤０．００１〜５．０質量％と、（ｄ）キレート剤０〜５．０質量％とを含有し、かつ、ｐＨが８．０を超えて１２．０以下の範囲に調整してなることを特徴とする住居用洗浄剤組成物。
【発明の詳細な説明】
【技術分野】
【０００１】
本発明は、床、壁、ガラス面、家電製品、食卓、キッチン周辺などの住居用に広く使用でき、被洗物の汚れを拭き取る操作のみで洗浄できる住居用洗浄剤組成物に関する。
【背景技術】
【０００２】
従来より、住居用の洗浄剤は、住居・家具・ガラス・油汚れ・トイレ・浴室などの用途別に広範囲に使用されている。特に、住居・家具・ガラス・油汚れの用途に関しては、弱アルカリ性またはアルカリ性の合成洗浄剤が主流である。
【０００３】
これらのアルカリ性領域の洗浄剤としては、例えば、アルカノールアミンなどのアルカリ性物質と双性洗浄界面活性剤、アニオン界面活性剤、４級アンモニウム塩からなる洗浄剤（例えば、特許文献１及び２参照）が知られている。
また、住居・家具・ガラス・油汚れ・トイレや洗面台の外側など水をかけて流せない場所での使用に関しては、洗浄剤を水に希釈して雑巾やモップ等を用いて被洗物に付着した汚れを拭き取る希釈タイプと、直接被洗物にスプレーして使用するか、または雑巾等にスプレーして被洗物に付着した汚れを拭き取るスプレータイプの２通りの洗浄剤が広く市販されており、最近では簡便な使用性であるトリガー容器を用いたスプレータイプの洗浄剤が主流をなしている。
【０００４】
これらの住居用洗浄剤の性能に関しては、住居の様々な汚れを除去する洗浄力と使用後の拭き跡残りやベタ付きが無いことが重要視されており、高い洗浄力、拭き跡残りの無さやベタ付きの無さより「２度拭き要らず」を想起した洗浄剤が市場に多く出回っている。
【０００５】
しかしながら、上記文献１及び２を含むこれらの洗浄剤は、洗浄成分としてアルカノールアミンなどのアルカリ性物質と双性洗浄界面活性剤、アニオン界面活性剤、４級アンモニウム塩などの界面活性剤を使用しているものが多く、使用性の面で洗浄面がいつまでもヌルヌルとして拭き取り効率が良くなかったり、また、手肌に触れた時にヌル付くことにより使用性が非常に悪いことから、手軽に簡便に拭き掃除を行うには使い勝手の点で不十分であるという課題がある。
【０００６】
そこで、汚れに気付いたときにティッシュペーパーなどを用いて手軽で簡単に拭き掃除を行うためには、高洗浄力であることはもちろん、洗浄面はいつまでもヌル付くことがなく、手肌に触れることが避けられないことによる洗浄剤の手肌へのヌル付きの削減が重要であると考えられる。
【０００７】
洗浄剤分野で洗浄力に優れ、かつ使用時に手肌がヌル付かないことを訴求しているものとしては、例えば、特定の脂肪酸又はその誘導体と、特定の糖脂肪酸エステル系界面活性剤に、エーテルカルボン酸又はその塩を併用してなる台所洗剤、洗顔料等として好適な液体洗浄剤組成物（例えば、特許文献３参照）が知られている。
しかしながら、この文献３に記載される液体洗浄剤組成物は、界面活性剤濃度が高く、水で洗い流す使用法で用いるものであり、上述のような住居用としての使用に向くものではなかった。
【０００８】
また、住居用洗浄剤分野に関しては、洗浄面及び手肌に対してヌル付かないことを訴求しているものとしては、例えば、界面活性剤と、低級アルコール、キレート剤とを各特定の範囲で含有せしめた中性液体洗浄剤組成物（特許文献４参照）が知られているが、この洗浄剤組成物は中性洗浄剤における技術であり、アルカリ性洗浄剤に関するヌル付き防止技術に対する考慮はまだ充分ではない点に課題などがあるものである。
なお、家庭用品品質表示法における合成洗剤のｐＨ表示は、中性がｐＨ８．０以下６．０以上のもの、弱アルカリ性がｐＨ１１．０以下８．０を超えるもの、アルカリ性がｐＨ１１．０を超えるものと規定されており、本特許の定めるｐＨの範囲は、弱アルカリ性及びアルカリ性の一部である。
【特許文献１】特開平３−４１２００号公報（特許請求の範囲、実施例等）
【特許文献２】特表平５−５０３５４７号公報（特許請求の範囲、実施例）
【特許文献３】特開平５−２５５６９４号公報（特許請求の範囲、実施例）
【特許文献４】特開平２０００−１２９２９２号公報（特許請求の範囲、実施例）
【発明の開示】
【発明が解決しようとする課題】
【０００９】
本発明は、上記従来技術の課題及び現状などに鑑み、これを解消しようとするものであり、汚れに気付いた時に対象物に直接または拭き具にスプレーして拭き取る場合、洗浄面においてはいつまでもヌルヌルとして拭き取り効率が悪い状況を回避し、誤って手肌に触れてもヌル付きがない快適な使用感であると共に、油性や水性の汚れ、黒ずみ汚れなど様々な汚れに対する洗浄力に優れ、床、壁、ガラス面、家電製品、食卓、キッチン周辺などに好適な住居用洗浄剤組成物を提供することを目的とする。
【課題を解決するための手段】
【００１０】
本発明者らは、上記従来の課題等を解決すべく鋭意検討を行った結果、温度条件が２５℃における水／溶剤の混合液の誘電率（εｒ）が特定値以下となる溶液の条件下で、洗浄成分としてアルカリ剤、界面活性剤、キレート剤を夫々特定の範囲となる割合で含有せしめ、かつｐＨを特定の範囲に調整することによって、洗浄面に直接又は拭き具にスプレーして拭き取る操作だけで、油性や水性の汚れや、黒ずみ汚れの洗浄力に優れ、洗浄面がいつまでもヌルヌルすることが無く、従来の拭き掃除と比較して掃除の効率化が図られると共に、誤って手肌に付いてもヌル付かない上記目的の住居用洗浄剤組成物が得られることを見出し、本発明を完成するに至ったのである。
【００１１】
すなわち、本発明は、（ａ）温度条件が２５℃において水／溶剤の混合液の誘電率（εｒ）が７０以下であり、（ｂ）アルカリ剤０．００１〜３．０質量％と、（ｃ）界面活性剤０．００１〜５．０質量％と、（ｄ）キレート剤０〜５．０質量％とを含有し、かつ、ｐＨが８．０を超えて１２．０以下の範囲に調整してなることを特徴とする住居用洗浄剤組成物である。
【発明の効果】
【００１２】
本発明によれば、床、壁、ガラス面、家電製品、食卓、キッチン周辺などの住居用に広く使用でき、洗浄面に直接又は拭き具にスプレーして拭き取る操作だけで、油性や水性の汚れや、黒ずみ汚れの洗浄力に優れ、洗浄面がいつまでもヌルヌルすることが無く、従来の拭き掃除と比較して掃除の効率化が図られると共に、誤って手肌に付いてもヌル付かない住居用洗浄剤組成物が提供される。
【発明を実施するための最良の形態】
【００１３】
以下に、本発明の実施形態を詳しく説明する。
本発明の住居用洗浄剤組成物（以下、「洗浄剤組成物」という）は、本発明は、（ａ）温度条件が２５℃において水／溶剤の混合液の誘電率（εｒ）が７０以下であり、（ｂ）アルカリ剤０．００１〜３．０質量％と、（ｃ）界面活性剤０．００１〜５．０質量％と、（ｄ）キレート剤０〜５．０質量％とを含有し、かつ、ｐＨが８．０を超えて１２．０以下の範囲に調整してなることを特徴とするものである。
【００１４】
本発明の洗浄剤組成物には、（ａ）温度条件が２５℃における水／溶剤の混合液の誘電率（εｒ）が７０以下であることが必要であるが、好ましくは、６８以下、更に好ましくは、５１〜６８の範囲であることが望ましい。
２５℃の水／溶剤の誘電率（εr）が７０を超えると、拭き取り作業時に洗浄面がいつまでもヌルヌルとして拭き取り効率が悪く、洗浄液が手肌に触れたときにヌル付きが感じられて使用感が非常に悪いので望ましくない。一方、２５℃での水／溶剤の誘電率（εｒ）が５１未満になると、溶剤添加によるヌル付き低減効果に格段の向上は見られず、経済的に好ましくない。
【００１５】
本発明に用いられる溶剤成分は、２５℃における水／溶剤の混合液の誘電率（εｒ）が７０以下となる溶剤から選ばれるものが挙げられ、例えば、溶剤の誘電率（εｒ）が７０以下となるものであって、洗浄剤組成物として均一に溶解するものであれば、特に限定されるものではないが、具体的には、低級アルコールであるエタノールやメタノール、１−プロパノールや多価アルコールであるエチレングリコールやグリセリンなどが挙げられ、これらを１種又は２種以上（以下、単に、「少なくとも１種」という）混合して用いることができる。
これらの溶剤の中では、汎用性や経済性、拭き取り次の使用性（ニオイや乾きの遅さ）等の点で、エタノールを使用するのがより好ましい。
【００１６】
本発明で用いることが可能なエタノールとしては、例えば、工業用アルコール、９９．５ｖ／ｖ％の試薬、９５ｖ／ｖ％の試薬、日本薬局方、化粧品原料基準のものが挙げられる。
また、製造法的にも発酵法、合成法で得られたものがあるが、特に限定されるものではない。また、飲用に適さないように変性剤を含む変性エタノールも用いることができる。
変性エタノールとしては、例えば、メタノール変性、ベンゾール変性、トリオール変性、メチルエチルケトン変性、安息香酸デナトニウム変性、香料変性などの一般変性アルコール、エチレングリコールモノエチルエーテル、クロロホルム、炭酸ジエチル、酢酸エチル、プロピオン酸エチル、酪酸エチル、ヘキサン、工業用エチルエーテル、ゲラニオール、８アセチル化ショ糖、フェニルエチルエーテル、ジエチルフタレート、ブルシン、リナリールアセテート、フレーバーＨ−Ｎｏ.４、フレーバーＨ−Ｎｏ. ６、フレーバーＨ−Ｎｏ.９、 フレーバーＨ−Ｎｏ.１１、フレーバーＨ−Ｎｏ.１、フレーバーＨ−Ｎｏ.３、フレーバーＨ−Ｎｏ.１０、フレーバーＨ−Ｎｏ.１２、フレーバーＨ−Ｎｏ.１３、フレーバーＴ−Ｎｏ.１００、フレーバーＴ−Ｎｏ.１０１、フレーバーＴ−Ｎｏ.１０２、フレーバーＴ−Ｎｏ.１０３、フレーバーＴ−Ｎｏ.１０７、フレーバーＳ−Ｎｏ.２０１、ヘキサン、リナロール、アルキルベンゼンスルホン酸塩水溶液、酢酸ビニル単量体、ヘプタン、イソプロピルアルコール、ブタノール変性などの選択変性アルコール、アクリル酸エチル、ベンジルアセテート、メタノール／１０％安息香酸デナトニウムアルコール溶液、フレーバーＨ−Ｎｏ.１４、種酢および水（酸量１０％以上、アルコール分１５％以下）、高酸度醸造酢（酸量１０％以上）、フレーバーＴ−Ｎｏ.３、フレーバーＴ−Ｎｏ.４、フレーバーＨ−Ｎｏ.２、フレーバーＴ−Ｎｏ.１０４、フレーバーＴ−Ｎｏ.１０５、フレーバーＴ−Ｎｏ.１０６、メタノール／ホルマリン／ローダミンＢ、メチルエチルケトン／８アセチル化ショ糖／イソプロピルアルコール、パラオキシ安息香酸ブチル、白ラックまたは精製セラックまたはセラック等の特別変性アルコールが挙げられ、これらのうち少なくとも１種を混合して用いることができる。
なお、これらの溶剤の含有量は、上記２５℃における水／溶剤の混合液の誘電率（εr）が７０以下となる範囲で調整されるものである。
【００１７】
本発明に用いることができる（ｂ）成分のアルカリ剤の成分としては、特に限定されるものではないが、具体的には、モノエタノールアミン、ジエタノールアミン、トリエタノールアミン、モルホリン、２−アミノ−１−プロパノール、水酸化ナトリウム、水酸化カリウム、炭酸ナトリウム、炭酸カリウム、炭酸水素ナトリウム、炭酸水素カリウム、リン酸２ナトリウム、リン酸３ナトリウムなどの少なくとも１種以上を挙げることができる。
これらのアルカリ剤の含有量は、洗浄剤組成物全量に対して、０．００１〜３．０質量％（以下、単に、「％」という）とすることが必要であり、好ましくは０．００５〜２．０％、特に好ましくは、０．０１〜１．５％とすることが望ましい。
この（ｂ）成分の含有量が０．００１％未満では、洗浄性能としての効果が低く、一方、３．０％超過になると、ヌル付き低減効果が見られなくなるために望ましくない。
【００１８】
本発明に用いることができる（ｃ）成分の界面活性剤としては、例えば、陰イオン性界面活性剤、陽イオン性界面活性剤、両性界面活性剤、及び非イオン界面活性剤を用いることができる。なお、これらの中の特定のものに限定されるものではない。
その代表例は、次の（１）〜（４）の各界面活性剤が挙げられる。これらは、単独で又は２種以上組み合わせて用いることができる。
（１）陰イオン性界面活性剤
硫酸アルキル塩、硫酸アルキルポリオキシエチレン塩、アルキルベンゼンスルホン酸塩、α−オレフィンスルホン酸塩、脂肪酸塩、α−スルホ脂肪酸塩、エ−テルカルボン酸塩、モノアルキルリン酸塩等である。これらの陰イオン性界面活性剤の対イオン（陽イオン）は、アルカリ金属イオン、アルカリ土類金属イオン、アルカノールアミンイオン、アンモニウムイオン等である。
【００１９】
（２）陽イオン性界面活性剤
アルキルトリメチルアンモニウム塩、ジアルキルジメチルアンモニウム塩、アルキルアンモニウム塩、アルキルベンジルジメチルアンモニウム塩等である。これら陽イオン性界面活性剤の対イオン（陰イオン）は、ハロゲンイオン等である。
（３）両性界面活性剤
アルカリカルボキシベタイン、アルキルスルホベタインなどである。
（４）非イオン性界面活性剤
ポリオキシエチレンアルキルエーテル、ポリオキシエチレンアルキルフェニルエーテル、脂肪酸ジエタノールアミド、アルキルアミンオキサイド、アミドアミンオキサイド等である。
【００２０】
これらの界面活性剤の含有量は、洗浄剤組成物全量に対して、０．００１〜５．０％とすることが必要であり、好ましくは、０．５〜２．０％、更に好ましくは、０．５〜１．０％とすることが望ましい。
この（ｃ）成分の含有量が０．００１％未満では、洗浄性能としての効果が低く、一方、５．０％超過になると、拭きあと残り、拭き取り効率に影響することとなるために望ましくない。
【００２１】
また、本発明に用いられる（ｄ）成分のキレート剤（金属イオン封鎖剤）は、特に限定されるものではないが、その具体例としては、以下に示す、有機ホスホン酸、アミノカルボン酸、低級カルボン酸類及びこれらの塩が挙げられ、これらのうち少なくとも１種を混合して用いることができる。
（１）有機ホスホン酸類としては、例えば、下記一般式（Ｉ）で表わされる、１，１−ヒドロキシエタン−１，１−ジホスホン酸、１，１−ヒドロキシエタン−１，２−ジホスホン酸（ＨＥＤＰ）、１−ヒドロキシプロパン−１，１−ジホスホン酸等の酸及びその塩が挙げられるが、好ましいものとしては、１，１−ヒドロキシエタン−１，２−ジホスホン酸（ＨＥＤＰ）及びその塩が挙げられる。
【化１】
2005187638.tif 000002
【００２２】
（２）アミノカルボン酸類としては、例えば、エチレンジアミンテトラ酢酸（ＥＤＴＡ）、トリエチレンテトラ酢酸（ＴＴＨＡ）、ヒドロキシエチルエチレンジアミントリ酢酸、ヒドロキシエチルイミノジ酢酸、ニトリロトリ酢酸、ジエチレントリアミンペンタ酢酸、プロピレンジアミンテトラ酢酸、トリエチレンテトラアミンヘキサ酢酸、エチレングリコールジエーテルジアミンテトラ酢酸、エチレンジアミンテトラプロピオン酸、シクロヘキサン−１，２−ジアミンテトラ酢酸等の酸及びその塩が挙げられるが、好ましいものとしては、エチレンジアミンテトラ酢酸（ＥＤＴＡ）、トリエチレンテトラ酢酸（ＴＴＨＡ）、並びに、ジエチレントリアミンペンタ酢酸及びこれらの塩が挙げられる。
（３）低級カルボン酸類としては、酢酸、アジピン酸、グリコール酸、ジグリコール酸、モノクロル酢酸、オキシジコハク酸、カルボキシメチルオキシコハク酸、クエン酸、乳酸、酒石酸、シュウ酸、リンゴ酸、グルコン酸、カルボキシメチルコハク酸、カルボキシメチル酒石酸などの酸及びその塩が挙げられる。好ましいものとしては、クエン酸、リンゴ酸、グルコン酸及びこれらの塩が挙げられる。
【００２３】
これらのキレート剤の含有量は、洗浄剤組成物全量に対して、０〜５．０％とすることが必要であり、好ましくは、性能低下防止剤として充分な効果を発揮させるために、０．０１％以上とすることが望ましく、更に好ましくは、０．０５〜３．０％とすることが望ましい。
この（ｄ）成分の含有量が５．０％超過になると、洗浄力が低下するため、アルカリ性物質のモル数に対する金属イオン封鎖剤のモル数と酸性物質のモル数の和が４０％以下の割合となる範囲で含有するのが特に好ましい。
【００２４】
更に、本発明の洗浄剤組成物には、本発明の効果を損ねない範囲で、任意成分として、ハイドロトロープ剤、紫外線吸収剤、着色剤、増粘剤、防腐剤、除菌剤、天然物などのエキス、香料などを含有することができる。なお、本発明の洗浄剤組成物の残部は、水（精製水、蒸留水、イオン交換水、純水、超純水、海洋深層水など）で調整される。また、上記の任意成分に用いられる化合物は、通常洗浄剤に使用されるものであればどのようなものでも良く、特に限定されるものではない。
【００２５】
本発明に用いることができる防腐剤としては、特に限定されるものではないが、例えば、安息香酸ナトリウム、パラオキシ安息香酸イソブチル、パラオキシ安息香酸イソプロピル、パラオキシ安息香酸エチル、パラオキシ安息香酸メチル、パラオキシ安息香酸ブチル、パラオキシ安息香酸プロピルなどの安息香酸系防腐剤類、ソルビン酸、ソルビン酸カリウムなどのソルビン酸系防腐剤類、デヒドロ酢酸類、プロピオン酸類、ジフェニル、オルトフェニルフェノール及びナトリウムなどのジフェニル類、チアベンゾール、イマザリル、ポリリジンなどの少なくとも１種が挙げられる。その含有量は、洗浄剤組成物全量に対して、好ましくは、０〜０．５％含有することができる。
【００２６】
また、本発明に用いられる天然物などのエキスとしては、特に限定されるものではないが、例えば、イヌエンジュ、ウワウルシ、エキナセア、コガネバナ、キハダ、オウレン、オ−ルスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シュクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ、などの植物や、コラ−ゲン、プロポリスなどの少なくとも１種が挙げられる。
【００２７】
更に、香料として使用される香料原料のリストは、様々な文献、例えば、「Perfume and Flavor Chemicals」、Vol.ＩandＩＩ、Steffen Arctander、Allured Pub.Co.（1994）及び「合成香料  化学と商品知識」、印藤元一著、化学工業日報社（1996）及び「Perfume and Flavor Materials of Natural Origin」、Steffen Arctander、Allured Pub.Co.（1994）及び「香りの百科」、日本香料協会編、朝倉書店（1989）及び「Perfumery Material Performance V.3.3」、Boelens Aroma Chemical Information Service（1996）及び「Flower oils and Floral Compounds In Perfumery」、Danute Lajaujis Anonis、Allured Pub.Co.（1993）などで見られ、これらに開示されているものを使用することができる。
【００２８】
本発明の洗浄剤組成物は、洗浄性能と快適な使用性の点から、ｐＨ調整剤により、その組成物（原液）のｐＨは８．０を超えて１２．０以下の範囲、好ましくは、９．０〜１０．０に調整されたものであることが望ましい。
なお、組成物（原液）のｐＨが８．０以下であると、油汚れに対する洗浄力が充分でなく、また、１２．０超過となると、洗浄面がいつまでもヌルヌルとして掃除効率が悪くなり、更に誤って手肌に付着したときのヌル付き感が感じられることとなり、好ましくない。
【００２９】
本発明の洗浄剤組成物は、使用に際しては、例えば、トリガー型スプレー容器、ディスペンサー式スプレー容器などの噴射容器等に充填され、床、壁、ガラス面、電気製品、家具などの被洗物の汚れた箇所に、上記容器を用いて洗浄剤組成物を噴射などし、布部材、紙部材、不織布などの拭き取り部材による拭取る操作のみで洗浄できるもの、または、拭き取り部材に洗浄剤組成物を噴射等し、この洗浄剤組成物含有拭き取り部材を上記汚れた箇所にあてて拭き取る操作のみで洗浄できるものである。また、シート状の不織布などに本洗浄剤組成物をあらかじめ含浸させ、ウェットティッシュの様な形状で使用することも可能である。
【００３０】
このように構成される本発明の洗浄剤組成物は、（ａ）温度条件が２５℃において水／溶剤の混合液の誘電率（εｒ）が７０以下であり、（ｂ）アルカリ剤０．００１〜３．０質量％と、（ｃ）界面活性剤０．００１〜５．０質量％と、（ｄ）キレート剤０〜５．０質量％とを含有し、かつ、ｐＨが８．０を超えて１２．０以下の範囲に調整することにより、床、壁、ガラス面、家電製品、食卓、キッチン周辺などの住居用に広く使用でき、洗浄面に直接または拭き具にスプレ−して拭き取ったり、洗浄液を含浸させたシ−トなどで拭き取ったりする操作だけで油性や水性の汚れや、黒ずみ汚れの洗浄力に優れ、洗浄面がいつまでもヌルヌルすることが無く従来の拭き掃除と比較して掃除の効率化が図れ、また誤って手肌に付いてもヌル付かない快適な使用感の拭き掃除が可能となるものである。
【実施例】
【００３１】
次に、本発明の実施例及び比較例により更に詳細に説明するが、本発明は下記実施例に限定されるものではない。
【００３２】
〔実施例１〜１１及び比較例１〜８〕
下記表１及び表２に示す配合組成により洗浄剤組成物を調製した。
なお、使用した香料組成物は、下記表３に示す香料組成物ａ〜ｃの組成を用いた。また、各表１及び表２の各組成物の配合単位は、質量％であり、全量は１００質量％である。
また、温度条件が２５℃における水／溶剤の混合液の誘電率（εｒ）の測定は、下記方法により測定した。
得られた各洗浄剤組成物について、下記各評価法により（１）洗浄面及び手肌に対するヌル付きの無さの評価、（２）拭き掃除効率の評価、（３）油性汚れ、水系汚れ、ヤニ汚れ、黒ズミ汚れに対する洗浄力評価を行った。
これらの具体的な評価法は次のとおりであり、これらの評価結果を下記表１及び表２に示す。
【００３３】
〔誘電率（εｒ）の測定方法〕
交流電流で回転磁場をつくり金属の可動円盤円筒に生じる誘電電流との間の電磁気力を測定した。
【００３４】
（１）洗浄面及び手肌に対するヌル付きの無さの評価方法
ヌル付き評価；Ｐタイル（塩化ビニル製タイル、以下同様）上に０．５ｇの各洗浄剤組成物を塗布し、下記（ｉ）洗浄面及び（ｉｉ）手肌に対するヌル付き感を下記評価基準で評価した。
ｉ）  洗浄面：ティッシュペーパーで一定面積を円を描くように１０回拭取り、拭取り時の洗浄面のヌル付き感を官能評価した。
ｉｉ）  手肌：Ｐタイル上の液を指先で円を描くように触った時の手肌のヌル付き感を官能評価した。
評価基準（ヌル付きの無さ）：
○：ヌル付き感がない
△：ヌル付き感が少しある
×：ヌル付き感がある
【００３５】
（２）拭き掃除効率の評価方法（拭き取り作業時間の測定）
Ｐタイル上に１．０ｇ液体洗浄組成物を塗布し、ティッシュペーパーで円を描くように拭きとり、表面のヌルヌル感が無くなり、サラサラとした感触になったと感じられるところを終点として作業時間を測定し、下記評価基準で掃除効率として評価した。
評価基準（作業効率）
○：作業時間が２０秒以内で済む
△：作業時間が２０秒超過〜４０秒未満
×：作業時間が４０秒以上かかる
【００３６】
（３）油性汚れ、水系汚れ、ヤニ汚れ、黒ずみ汚れに対する洗浄力の評価方法
洗浄力評価；下記に示す各汚れイ）〜ニ）に対して、０．５ｇの液体洗浄剤を塗布した後、ティッシュペーパーで１５０〜２００ｇの荷重をかけて１往復した時の汚れ落ちを目視で下記評価基準で評価した。
イ）食べこぼし（油性汚れ）：カレーをＳＵＳ板に薄く均一に塗り広げ、一日放置して表面が乾燥した状態の汚れ
ロ）食べこぼし（水系汚れ）：ご飯粒をＳＵＳ板に薄く均一に塗り広げ、一日放置して表面が乾燥した状態の汚れ
ハ）ヤニ汚れ：喫煙室にて１年間放置し、蓄積されたブラインドのヤニの実汚れ
ニ）リビング黒ズミ汚れ：リビングに５年間放置し、蓄積したゴミ箱の手垢黒ズミの実汚れ
評価基準（洗浄力）：
◎：汚れ落ちが非常に良好
○：汚れ落ちが良好
△：汚れ落ちにムラがある
×：殆ど汚れが落ちない
【００３７】
【表１】
2005187638.tif 000003
【００３８】
【表２】
2005187638.tif 000004
【００３９】
上記表１及び表２中の試料の入手先、略号などは、下記のとおりである。
未変性発酵エタノール；試薬
ＡＥＳ（Ｐ＝５）;ライオン化学社製、
ラウリン酸アミドプロピルベタイン(ＬＰＢ)；一方社製
ＰＯＥアルキルエーテル(Ｐ＝１０)；日本触媒社製、商品名「ソフタノール」
ＰＯＥアルキルエーテル硫酸ナトリウム（ＬＥＳ）；ライオン化学社製
ＥＤＴＡ：エチレンジアミンテトラ酢酸
ＨＥＤＰ：１，１−ヒドロキシエタン−１，２−ジホスホン酸
その他のキレート剤、無機塩、ハイドロトープ及び防腐剤；試薬
【００４０】
【表３】
2005187638.tif 000005
【００４１】
上記表１及び表２の結果から明らかなように、本発明の範囲となる実施例１〜１１は、本発明の範囲外となる比較例１〜８に比べ、使用時の洗浄面及び手肌に対するヌル付きが無く、油性汚れ、水性汚れ、ヤニ汚れ及び黒ズミ汚れ全般に対して洗浄力が優れており、掃除効率の面でも優れていることが判明した。
比較例を個別的に見ると、比較例１〜８は、温度条件２５℃における水／溶剤の誘電率（εr）が本発明の範囲よりも高く、これらの洗浄剤組成物は、本発明の効果を発揮できないことが判明した。